(57)【特許請求の範囲】
【請求項１】
画像処理装置であって、
第１のユーザのログイン中に資料のプレビュー画像をプレビュー画面に表示する表示手段と、
外部装置からジョブを受信する通信制御手段と、
前記外部装置から受信された前記ジョブの種類が特定種類のジョブであるか否か、を判定する判定手段と、
前記プレビュー画面に対する表示制御を行う表示制御手段と、
を備え、
前記表示制御手段は、前記特定種類のジョブが受信された旨が前記プレビュー画面の表示中に判定される場合、前記第１のユーザとは異なる第２のユーザが前記画像処理装置に接近してくる可能性が所定程度以上であるとみなして、前記プレビュー画面において前記プレビュー画像を自動的に非表示化する制御である第１の表示制御と前記プレビュー画像をユーザ操作に応じて非表示化するための非表示化ボタンを前記プレビュー画面に表示する制御である第２の表示制御との少なくとも一方を行うことを特徴とする画像処理装置。
【請求項２】
請求項１に記載の画像処理装置において、
前記第２のユーザは、前記外部装置を用いて前記特定種類のジョブを付与したジョブ実行ユーザであり、
前記表示制御手段は、前記特定種類のジョブが受信された旨が前記プレビュー画面の表示中に判定される場合、前記第１の表示制御を行うことを特徴とする画像処理装置。
【請求項３】
請求項２に記載の画像処理装置において、
前記表示制御手段は、前記特定種類のジョブが完了すると、前記第１の表示制御を行うことを特徴とする画像処理装置。
【請求項４】
請求項２に記載の画像処理装置において、
前記特定種類のジョブの受信前において、前記外部装置を用いて前記ジョブ実行ユーザによって付与されたジョブが受信されてから、当該ジョブの完了後に前記画像処理装置にて受け取るべき受取対象物が前記ジョブ実行ユーザによって受け取られるまでの受取時間を測定する測定手段と、
前記ジョブ実行ユーザからの複数のジョブに関してそれぞれ測定された各受取時間の平均受取時間を予め記憶する記憶手段と、
をさらに備え、
前記表示制御手段は、前記外部装置を用いて前記ジョブ実行ユーザによって付与された前記特定種類のジョブが受信された時点から、前記ジョブ実行ユーザが前記画像処理装置に接近してくると予想される予想接近時間であって前記平均受取時間に基づき算出された予想接近時間が経過すると、前記第１の表示制御を行うことを特徴とする画像処理装置。
【請求項５】
請求項２に記載の画像処理装置において、
前記表示制御手段は、前記画像処理装置にて開始された前記特定種類のジョブにおける未処理ページ数が所定ページ数を下回ると、前記第１の表示制御を行うことを特徴とする画像処理装置。
【請求項６】
請求項２に記載の画像処理装置において、
前記表示制御手段は、前記画像処理装置にて開始された前記特定種類のジョブにおける未処理データ量が所定量を下回ると、前記第１の表示制御を行うことを特徴とする画像処理装置。
【請求項７】
請求項２に記載の画像処理装置において、
前記表示制御手段は、前記画像処理装置にて開始された前記特定種類のジョブが所定割合以上完了すると、前記第１の表示制御を行うことを特徴とする画像処理装置。
【請求項８】
請求項２に記載の画像処理装置において、
前記表示制御手段は、前記特定種類のジョブが受信された旨が前記プレビュー画面の表示中に判定されると、前記第１の表示制御に先立って、前記第２の表示制御を行うことを特徴とする画像処理装置。
【請求項９】
請求項２に記載の画像処理装置において、
前記表示制御手段は、
前記プレビュー画像を非表示化せずに引き続き表示するための継続表示ボタンを、前記画像処理装置への前記第２のユーザの接近を警告する警告メッセージとともに、前記プレビュー画面に表示し、
前記継続表示ボタンが前記第１のユーザによって押下されると、前記第２のユーザが前記画像処理装置に接近してくる可能性が所定程度以上であるとみなされた場合であっても、前記プレビュー画像を前記プレビュー画面にて引き続き表示することを特徴とする画像処理装置。
【請求項１０】
請求項２に記載の画像処理装置において、
前記表示制御手段は、前記プレビュー画像が前記プレビュー画面において非表示化されると、非表示化された前記プレビュー画像を再び表示するための再表示ボタンを前記プレビュー画面に表示することを特徴とする画像処理装置。
【請求項１１】
請求項２に記載の画像処理装置において、
前記表示制御手段は、前記特定種類のジョブが受信された旨が前記プレビュー画面の表示中に判定されると、前記第１の表示制御に先立って、前記ジョブ実行ユーザによる前記画像処理装置への接近を警告する警告メッセージを前記プレビュー画面に表示することを特徴とする画像処理装置。
【請求項１２】
請求項２に記載の画像処理装置において、
前記表示制御手段は、前記第１の表示制御において、前記プレビュー画像のうち、前記プレビュー画像に係る前記資料において秘匿すべき領域として予め指定された秘匿領域を自動的に非表示化することを特徴とする画像処理装置。
【請求項１３】
請求項２に記載の画像処理装置において、
前記表示制御手段は、前記ジョブ実行ユーザが前記資料の閲覧権限を有しないことを条件として、前記第１の表示制御を行うことを特徴とする画像処理装置。
【請求項１４】
請求項２に記載の画像処理装置において、
前記表示制御手段は、前記資料の閲覧を許可する閲覧許可ワードとして予め指定された特定のキーワードが前記特定種類のジョブのデータ内に含まれていないことを条件として、前記第１の表示制御を行うことを特徴とする画像処理装置。
【請求項１５】
請求項１に記載の画像処理装置において、
前記表示制御手段は、前記特定種類のジョブが受信された旨が前記プレビュー画面の表示中に判定されると、前記第２の表示制御を行うことを特徴とする画像処理装置。
【請求項１６】
請求項１５に記載の画像処理装置において、
前記表示制御手段は、前記非表示化ボタンが前記第１のユーザによって押下されると、前記プレビュー画面において前記プレビュー画像を非表示化することを特徴とする画像処理装置。
【請求項１７】
請求項１６に記載の画像処理装置において、
前記表示制御手段は、前記プレビュー画像が前記プレビュー画面において非表示化されると、非表示化された前記プレビュー画像を再び表示するための再表示ボタンを前記プレビュー画面に表示することを特徴とする画像処理装置。
【請求項１８】
請求項１５に記載の画像処理装置において、
前記表示制御手段は、前記第２の表示制御において、前記特定種類のジョブの進捗状況をも前記プレビュー画面に表示することを特徴とする画像処理装置。
【請求項１９】
請求項１５に記載の画像処理装置において、
前記表示制御手段は、前記第２の表示制御において、他ユーザによる前記画像処理装置への接近を警告する警告メッセージをも前記プレビュー画面に表示することを特徴とする画像処理装置。
【請求項２０】
請求項１５に記載の画像処理装置において、
前記非表示化ボタンは、前記プレビュー画像のうち、前記プレビュー画像に係る前記資料において秘匿すべき領域として予め指定された秘匿領域を非表示化するためのボタンであることを特徴とする画像処理装置。
【請求項２１】
請求項１５に記載の画像処理装置において、
前記第２のユーザは、前記外部装置を用いて前記特定種類のジョブを付与したジョブ実行ユーザであり、
前記表示制御手段は、前記ジョブ実行ユーザが前記資料の閲覧権限を有しないことを条件として、前記第２の表示制御を行うことを特徴とする画像処理装置。
【請求項２２】
請求項１５に記載の画像処理装置において、
前記表示制御手段は、前記資料の閲覧を許可する閲覧許可ワードとして予め指定された特定のキーワードが前記特定種類のジョブのデータ内に含まれていないことを条件として、前記第２の表示制御を行うことを特徴とする画像処理装置。
【請求項２３】
請求項１〜請求項２２のいずれかに記載の画像処理装置において、
前記特定種類のジョブは、前記外部装置からの受信に応答して開始されるプリントジョブである基本プリントジョブを含むことを特徴とする画像処理装置。
【請求項２４】
請求項１〜請求項４、請求項８〜請求項２２のいずれかに記載の画像処理装置において
前記特定種類のジョブは、前記外部装置からの受信に応答して開始されるスキャンジョブであるプルスキャンジョブを含むことを特徴とする画像処理装置。
【請求項２５】
請求項１５〜請求項２２のいずれかに記載の画像処理装置において、
前記特定種類のジョブは、前記外部装置から受信された印刷対象データが前記画像処理装置に一旦格納されるとともに、前記画像処理装置でのユーザ操作に応答して前記印刷対象データの印刷出力が開始されるプリントジョブである親展プリントジョブを含むことを特徴とする画像処理装置。
【請求項２６】
請求項１５〜請求項２０のいずれかに記載の画像処理装置において、
前記特定種類のジョブは、前記外部装置から受信されるファクシミリ受信ジョブを含むことを特徴とする画像処理装置。
【請求項２７】
請求項１に記載の画像処理装置において、
前記特定種類のジョブは、第１の種類のジョブと第２の種類のジョブとを含み、
前記表示制御手段は、前記外部装置から受信されたジョブの種類に応じて、前記第１の表示制御と前記第２の表示制御とを切り換え、
前記第１の種類のジョブが前記外部装置から受信された旨が判定される場合、前記第１の表示制御を行い、
前記第２の種類のジョブが前記外部装置から受信された旨が判定される場合、前記第２の表示制御を行うことを特徴とする画像処理装置。
【請求項２８】
請求項２７に記載の画像処理装置において、
前記第１の種類のジョブは、前記外部装置からの受信に応答して開始されるプリントジョブである基本プリントジョブと、前記外部装置からの受信に応答して開始されるスキャンジョブであるプルスキャンジョブとの少なくとも一方を含み、
前記第２の種類のジョブは、前記外部装置から受信された印刷対象データが前記画像処理装置に一旦格納されるとともに、前記画像処理装置でのユーザ操作に応答して前記印刷対象データの印刷出力が開始されるプリントジョブである親展プリントジョブと、前記外部装置から受信されるファクシミリ受信ジョブとの少なくとも一方を含むことを特徴とする画像処理装置。
【請求項２９】
画像処理装置に内蔵されたコンピュータに、
ａ）第１のユーザのログイン中に資料のプレビュー画像をプレビュー画面に表示するステップと、
ｂ）外部装置からジョブを受信するステップと、
ｃ）前記外部装置から受信された前記ジョブの種類が特定種類のジョブであるか否か、を判定するステップと、
ｄ）前記プレビュー画面に対する表示制御を行うステップと、
を実行させるためのプログラムであって、
前記ステップｄ）においては、前記特定種類のジョブが受信された旨が前記プレビュー画面の表示中に判定される場合、前記第１のユーザとは異なる第２のユーザが前記画像処理装置に接近してくる可能性が所定程度以上であるとみなされて、前記プレビュー画面において前記プレビュー画像を自動的に非表示化する制御である第１の表示制御と前記プレビュー画像をユーザ操作に応じて非表示化するための非表示化ボタンを前記プレビュー画面に表示する制御である第２の表示制御との少なくとも一方が行われることを特徴とするプログラム。
【請求項３０】
請求項２９に記載のプログラムにおいて、
前記第２のユーザは、前記外部装置を用いて前記特定種類のジョブを付与したジョブ実行ユーザであり、
前記ステップｄ）においては、前記特定種類のジョブが受信された旨が前記プレビュー画面の表示中に判定される場合、前記第１の表示制御が行われることを特徴とするプログラム。
【請求項３１】
請求項３０に記載のプログラムにおいて、
前記ステップｄ）においては、前記特定種類のジョブが完了すると、前記第１の表示制御が行われることを特徴とするプログラム。
【請求項３２】
請求項３０に記載のプログラムにおいて、
前記プログラムは、
ｅ）前記特定種類のジョブの受信前において、前記外部装置を用いて前記ジョブ実行ユーザによって付与されたジョブが受信されてから、当該ジョブの完了後に前記画像処理装置にて受け取るべき受取対象物が前記ジョブ実行ユーザによって受け取られるまでの受取時間を測定するステップ、
をさらに実行するためのプログラムであって、
前記ステップｄ）においては、前記外部装置を用いて前記ジョブ実行ユーザによって付与された前記特定種類のジョブが受信された時点から、前記ジョブ実行ユーザが前記画像処理装置に接近してくると予想される予想接近時間であって前記ジョブ実行ユーザからの複数のジョブに関してそれぞれ予め測定され且つ予め記憶されていた各受取時間の平均受取時間に基づき算出された予想接近時間が経過すると、前記第１の表示制御が行われることを特徴とするプログラム。
【請求項３３】
請求項３０に記載のプログラムにおいて、
前記ステップｄ）においては、前記画像処理装置にて開始された前記特定種類のジョブにおける未処理ページ数が所定ページ数を下回ると、前記第１の表示制御が行われることを特徴とするプログラム。
【請求項３４】
請求項３０に記載のプログラムにおいて、
前記ステップｄ）においては、前記画像処理装置にて開始された前記特定種類のジョブにおける未処理データ量が所定量を下回ると、前記第１の表示制御が行われることを特徴とするプログラム。
【請求項３５】
請求項３０に記載のプログラムにおいて、
前記ステップｄ）においては、前記画像処理装置にて開始された前記特定種類のジョブが所定割合以上完了すると、前記第１の表示制御が行われることを特徴とするプログラム。
【請求項３６】
請求項３０に記載のプログラムにおいて、
前記ステップｄ）においては、前記特定種類のジョブが受信された旨が前記プレビュー画面の表示中に判定されると、前記第１の表示制御に先立って、前記第２の表示制御が行われることを特徴とするプログラム。
【請求項３７】
請求項３０に記載のプログラムにおいて、
前記ステップｄ）は、
ｄ−１）前記プレビュー画像を非表示化せずに引き続き表示するための継続表示ボタンを、前記第２のユーザによる前記画像処理装置への接近を警告する警告メッセージとともに、前記プレビュー画面に表示するステップと、
ｄ−２）前記継続表示ボタンが前記第１のユーザによって押下されると、前記第２のユーザが前記画像処理装置に接近してくる可能性が所定程度以上であるとみなされた場合であっても、前記プレビュー画像を前記プレビュー画面にて引き続き表示するステップと、
を有することを特徴とするプログラム。
【請求項３８】
請求項３０に記載のプログラムにおいて、
前記ステップｄ）においては、前記プレビュー画像が前記プレビュー画面において非表示化されると、非表示化された前記プレビュー画像を再び表示するための再表示ボタンが前記プレビュー画面に表示されることを特徴とするプログラム。
【請求項３９】
請求項３０に記載のプログラムにおいて、
前記ステップｄ）においては、前記特定種類のジョブが受信された旨が前記プレビュー画面の表示中に判定されると、前記第１の表示制御に先立って、前記ジョブ実行ユーザによる前記画像処理装置への接近を警告する警告メッセージが前記プレビュー画面に表示されることを特徴とするプログラム。
【請求項４０】
請求項３０に記載のプログラムにおいて、
前記ステップｄ）においては、前記第１の表示制御において、前記プレビュー画像のうち、前記プレビュー画像に係る前記資料において秘匿すべき領域として予め指定された秘匿領域が自動的に非表示化されることを特徴とするプログラム。
【請求項４１】
請求項３０に記載のプログラムにおいて、
前記ステップｄ）においては、前記ジョブ実行ユーザが前記資料の閲覧権限を有しないことを条件として、前記第１の表示制御が行われることを特徴とするプログラム。
【請求項４２】
請求項３０に記載のプログラムにおいて、
前記ステップｄ）においては、前記資料の閲覧を許可する閲覧許可ワードとして予め指定された特定のキーワードが前記特定種類のジョブのデータ内に含まれていないことを条件として、前記第１の表示制御が行われることを特徴とするプログラム。
【請求項４３】
請求項２９に記載のプログラムにおいて、
前記ステップｄ）においては、前記特定種類のジョブが受信された旨が前記プレビュー画面の表示中に判定されると、前記第２の表示制御が行われることを特徴とするプログラム。
【請求項４４】
請求項４３に記載のプログラムにおいて、
前記ステップｄ）においては、前記非表示化ボタンが前記第１のユーザによって押下されると、前記プレビュー画面において前記プレビュー画像が非表示化されることを特徴とするプログラム。
【請求項４５】
請求項４４に記載のプログラムにおいて、
前記ステップｄ）においては、前記プレビュー画像が前記プレビュー画面において非表示化されると、非表示化された前記プレビュー画像を再び表示するための再表示ボタンが前記プレビュー画面に表示されることを特徴とするプログラム。
【請求項４６】
請求項４３に記載のプログラムにおいて、
前記ステップｄ）においては、前記第２の表示制御において、前記特定種類のジョブの進捗状況もが前記プレビュー画面に表示されることを特徴とするプログラム。
【請求項４７】
請求項４３に記載のプログラムにおいて、
前記ステップｄ）においては、前記第２の表示制御において、他ユーザによる前記画像処理装置への接近を警告する警告メッセージもが前記プレビュー画面に表示されることを特徴とするプログラム。
【請求項４８】
請求項４３に記載のプログラムにおいて、
前記非表示化ボタンは、前記プレビュー画像のうち、前記プレビュー画像に係る前記資料において秘匿すべき領域として予め指定された秘匿領域を非表示化するためのボタンであることを特徴とするプログラム。
【請求項４９】
請求項４３に記載のプログラムにおいて、
前記第２のユーザは、前記外部装置を用いて前記特定種類のジョブを付与したジョブ実行ユーザであり、
前記ステップｄ）においては、前記ジョブ実行ユーザが前記資料の閲覧権限を有しないことを条件として、前記第２の表示制御が行われることを特徴とするプログラム。
【請求項５０】
請求項４３に記載のプログラムにおいて、
前記ステップｄ）においては、前記資料の閲覧を許可する閲覧許可ワードとして予め指定された特定のキーワードが前記特定種類のジョブのデータ内に含まれていないことを条件として、前記第２の表示制御が行われることを特徴とするプログラム。
【請求項５１】
請求項２９に記載のプログラムにおいて、
前記特定種類のジョブは、第１の種類のジョブと第２の種類のジョブとを含み、
前記ステップｄ）においては、前記外部装置から受信されたジョブの種類に応じて、前記第１の表示制御と前記第２の表示制御とが切り換えられ、
前記第１の種類のジョブが前記外部装置から受信された旨が判定される場合、前記第１の表示制御が行われ、
前記第２の種類のジョブが前記外部装置から受信された旨が判定される場合、前記第２の表示制御が行われることを特徴とするプログラム。
【発明の詳細な説明】
【技術分野】
【０００１】
本発明は、ＭＦＰ（マルチ・ファンクション・ペリフェラル（Multi-Functional Peripheral））等の画像処理装置およびそれに関連する技術に関する。
【背景技術】
【０００２】
画像処理装置においてプレビュー画面に表示された資料を他ユーザに覗き見されないように当該プレビュー画面に対する表示制御を行う技術が存在する。
【０００３】
たとえば、特許文献１においては、画像処理装置の周辺における移動体の存否をセンサを用いて検知し、画像処理装置の操作者以外の第三者が当該センサによって検知されると、プレビュー画面に表示された原稿を非表示にする等の処理を施すことが示されている。
【先行技術文献】
【特許文献】
【０００４】
【特許文献１】特開２００７−２８８３３０号公報
【発明の概要】
【発明が解決しようとする課題】
【０００５】
しかしながら、他ユーザによる覗き見を防止するためにセンサが用いられる場合には、以下のような問題が考えられる。
【０００６】
具体的には、他ユーザによる覗き見を防止するためにセンサが用いられる場合は、他ユーザがセンサの検知範囲内に進入すると、当該センサによって検知された他ユーザが画像処理装置に接近してくるか否かにかかわらず（一律に）、プレビュー画面に表示されている資料が非表示化される。そのため、画像処理装置に接近する意思を有しないユーザが、センサの検知範囲内を単に通り過ぎただけでも、プレビュー画面に表示されている資料が非表示化されてしまう。その結果、当該資料を閲覧しているログインユーザの作業効率が低下する。
【０００７】
そこで、本願発明は、画像処理装置への他ユーザの接近の可能性を考慮しつつ、画像処理装置においてプレビュー画面に表示されている資料の他ユーザによる覗き見を抑制することが可能な技術を提供することを課題とする。
【課題を解決するための手段】
【０００８】
上記課題を解決すべく、請求項１の発明は、画像処理装置であって、第１のユーザのログイン中に資料のプレビュー画像をプレビュー画面に表示する表示手段と、外部装置からジョブを受信する通信制御手段と、前記外部装置から受信された前記ジョブの種類が特定種類のジョブであるか否か、を判定する判定手段と、前記プレビュー画面に対する表示制御を行う表示制御手段と、を備え、前記表示制御手段は、前記特定種類のジョブが受信された旨が前記プレビュー画面の表示中に判定される場合、前記第１のユーザとは異なる第２のユーザが前記画像処理装置に接近してくる可能性が所定程度以上であるとみなして、前記プレビュー画面において前記プレビュー画像を自動的に非表示化する制御である第１の表示制御と前記プレビュー画像をユーザ操作に応じて非表示化するための非表示化ボタンを前記プレビュー画面に表示する制御である第２の表示制御との少なくとも一方を行うことを特徴とする。
【０００９】
請求項２の発明は、請求項１の発明に係る画像処理装置において、前記第２のユーザは、前記外部装置を用いて前記特定種類のジョブを付与したジョブ実行ユーザであり、前記表示制御手段は、前記特定種類のジョブが受信された旨が前記プレビュー画面の表示中に判定される場合、前記第１の表示制御を行うことを特徴とする。
【００１０】
請求項３の発明は、請求項２の発明に係る画像処理装置において、前記表示制御手段は、前記特定種類のジョブが完了すると、前記第１の表示制御を行うことを特徴とする。
【００１１】
請求項４の発明は、請求項２の発明に係る画像処理装置において、前記特定種類のジョブの受信前において、前記外部装置を用いて前記ジョブ実行ユーザによって付与されたジョブが受信されてから、当該ジョブの完了後に前記画像処理装置にて受け取るべき受取対象物が前記ジョブ実行ユーザによって受け取られるまでの受取時間を測定する測定手段と、前記ジョブ実行ユーザからの複数のジョブに関してそれぞれ測定された各受取時間の平均受取時間を予め記憶する記憶手段と、をさらに備え、前記表示制御手段は、前記外部装置を用いて前記ジョブ実行ユーザによって付与された前記特定種類のジョブが受信された時点から、前記ジョブ実行ユーザが前記画像処理装置に接近してくると予想される予想接近時間であって前記平均受取時間に基づき算出された予想接近時間が経過すると、前記第１の表示制御を行うことを特徴とする。
【００１２】
請求項５の発明は、請求項２の発明に係る画像処理装置において、前記表示制御手段は、前記画像処理装置にて開始された前記特定種類のジョブにおける未処理ページ数が所定ページ数を下回ると、前記第１の表示制御を行うことを特徴とする。
【００１３】
請求項６の発明は、請求項２の発明に係る画像処理装置において、前記表示制御手段は、前記画像処理装置にて開始された前記特定種類のジョブにおける未処理データ量が所定量を下回ると、前記第１の表示制御を行うことを特徴とする。
【００１４】
請求項７の発明は、請求項２の発明に係る画像処理装置において、前記表示制御手段は、前記画像処理装置にて開始された前記特定種類のジョブが所定割合以上完了すると、前記第１の表示制御を行うことを特徴とする。
【００１５】
請求項８の発明は、請求項２の発明に係る画像処理装置において、前記表示制御手段は、前記特定種類のジョブが受信された旨が前記プレビュー画面の表示中に判定されると、前記第１の表示制御に先立って、前記第２の表示制御を行うことを特徴とする。
【００１６】
請求項９の発明は、請求項２の発明に係る画像処理装置において、前記表示制御手段は、前記プレビュー画像を非表示化せずに引き続き表示するための継続表示ボタンを、前記画像処理装置への前記第２のユーザの接近を警告する警告メッセージとともに、前記プレビュー画面に表示し、前記継続表示ボタンが前記第１のユーザによって押下されると、前記第２のユーザが前記画像処理装置に接近してくる可能性が所定程度以上であるとみなされた場合であっても、前記プレビュー画像を前記プレビュー画面にて引き続き表示することを特徴とする。
【００１７】
請求項１０の発明は、請求項２の発明に係る画像処理装置において、前記表示制御手段は、前記プレビュー画像が前記プレビュー画面において非表示化されると、非表示化された前記プレビュー画像を再び表示するための再表示ボタンを前記プレビュー画面に表示することを特徴とする。
【００１８】
請求項１１の発明は、請求項２の発明に係る画像処理装置において、前記表示制御手段は、前記特定種類のジョブが受信された旨が前記プレビュー画面の表示中に判定されると、前記第１の表示制御に先立って、前記ジョブ実行ユーザによる前記画像処理装置への接近を警告する警告メッセージを前記プレビュー画面に表示することを特徴とする。
【００１９】
請求項１２の発明は、請求項２の発明に係る画像処理装置において、前記表示制御手段は、前記第１の表示制御において、前記プレビュー画像のうち、前記プレビュー画像に係る前記資料において秘匿すべき領域として予め指定された秘匿領域を自動的に非表示化することを特徴とする。
【００２０】
請求項１３の発明は、請求項２の発明に係る画像処理装置において、前記表示制御手段は、前記ジョブ実行ユーザが前記資料の閲覧権限を有しないことを条件として、前記第１の表示制御を行うことを特徴とする。
【００２１】
請求項１４の発明は、請求項２の発明に係る画像処理装置において、前記表示制御手段は、前記資料の閲覧を許可する閲覧許可ワードとして予め指定された特定のキーワードが前記特定種類のジョブのデータ内に含まれていないことを条件として、前記第１の表示制御を行うことを特徴とする。
【００２２】
請求項１５の発明は、請求項１の発明に係る画像処理装置において、前記表示制御手段は、前記特定種類のジョブが受信された旨が前記プレビュー画面の表示中に判定されると、前記第２の表示制御を行うことを特徴とする。
【００２３】
請求項１６の発明は、請求項１５の発明に係る画像処理装置において、前記表示制御手段は、前記非表示化ボタンが前記第１のユーザによって押下されると、前記プレビュー画面において前記プレビュー画像を非表示化することを特徴とする。
【００２４】
請求項１７の発明は、請求項１６の発明に係る画像処理装置において、前記表示制御手段は、前記プレビュー画像が前記プレビュー画面において非表示化されると、非表示化された前記プレビュー画像を再び表示するための再表示ボタンを前記プレビュー画面に表示することを特徴とする。
【００２５】
請求項１８の発明は、請求項１５の発明に係る画像処理装置において、前記表示制御手段は、前記第２の表示制御において、前記特定種類のジョブの進捗状況をも前記プレビュー画面に表示することを特徴とする。
【００２６】
請求項１９の発明は、請求項１５の発明に係る画像処理装置において、前記表示制御手段は、前記第２の表示制御において、他ユーザによる前記画像処理装置への接近を警告する警告メッセージをも前記プレビュー画面に表示することを特徴とする。
【００２７】
請求項２０の発明は、請求項１５の発明に係る画像処理装置において、前記非表示化ボタンは、前記プレビュー画像のうち、前記プレビュー画像に係る前記資料において秘匿すべき領域として予め指定された秘匿領域を非表示化するためのボタンであることを特徴とする。
【００２８】
請求項２１の発明は、請求項１５の発明に係る画像処理装置において、前記第２のユーザは、前記外部装置を用いて前記特定種類のジョブを付与したジョブ実行ユーザであり、前記表示制御手段は、前記ジョブ実行ユーザが前記資料の閲覧権限を有しないことを条件として、前記第２の表示制御を行うことを特徴とする。
【００２９】
請求項２２の発明は、請求項１５の発明に係る画像処理装置において、前記表示制御手段は、前記資料の閲覧を許可する閲覧許可ワードとして予め指定された特定のキーワードが前記特定種類のジョブのデータ内に含まれていないことを条件として、前記第２の表示制御を行うことを特徴とする。
【００３０】
請求項２３の発明は、請求項１〜請求項２２のいずれかの発明に係る画像処理装置において、前記特定種類のジョブは、前記外部装置からの受信に応答して開始されるプリントジョブである基本プリントジョブを含むことを特徴とする。
【００３１】
請求項２４の発明は、請求項１〜請求項４、請求項８〜請求項２２のいずれかの発明に係る画像処理装置において前記特定種類のジョブは、前記外部装置からの受信に応答して開始されるスキャンジョブであるプルスキャンジョブを含むことを特徴とする。
【００３２】
請求項２５の発明は、請求項１５〜請求項２２のいずれかの発明に係る画像処理装置において、前記特定種類のジョブは、前記外部装置から受信された印刷対象データが前記画像処理装置に一旦格納されるとともに、前記画像処理装置でのユーザ操作に応答して前記印刷対象データの印刷出力が開始されるプリントジョブである親展プリントジョブを含むことを特徴とする。
【００３３】
請求項２６の発明は、請求項１５〜請求項２０のいずれかの発明に係る画像処理装置において、前記特定種類のジョブは、前記外部装置から受信されるファクシミリ受信ジョブを含むことを特徴とする。
【００３４】
請求項２７の発明は、請求項１の発明に係る画像処理装置において、前記特定種類のジョブは、第１の種類のジョブと第２の種類のジョブとを含み、前記表示制御手段は、前記外部装置から受信されたジョブの種類に応じて、前記第１の表示制御と前記第２の表示制御とを切り換え、前記第１の種類のジョブが前記外部装置から受信された旨が判定される場合、前記第１の表示制御を行い、前記第２の種類のジョブが前記外部装置から受信された旨が判定される場合、前記第２の表示制御を行うことを特徴とする。
【００３５】
請求項２８の発明は、請求項２７の発明に係る画像処理装置において、前記第１の種類のジョブは、前記外部装置からの受信に応答して開始されるプリントジョブである基本プリントジョブと、前記外部装置からの受信に応答して開始されるスキャンジョブであるプルスキャンジョブとの少なくとも一方を含み、前記第２の種類のジョブは、前記外部装置から受信された印刷対象データが前記画像処理装置に一旦格納されるとともに、前記画像処理装置でのユーザ操作に応答して前記印刷対象データの印刷出力が開始されるプリントジョブである親展プリントジョブと、前記外部装置から受信されるファクシミリ受信ジョブとの少なくとも一方を含むことを特徴とする。
【００３６】
請求項２９の発明は、画像処理装置に内蔵されたコンピュータに、ａ）第１のユーザのログイン中に資料のプレビュー画像をプレビュー画面に表示するステップと、ｂ）外部装置からジョブを受信するステップと、ｃ）前記外部装置から受信された前記ジョブの種類が特定種類のジョブであるか否か、を判定するステップと、ｄ）前記プレビュー画面に対する表示制御を行うステップと、を実行させるためのプログラムであって、前記ステップｄ）においては、前記特定種類のジョブが受信された旨が前記プレビュー画面の表示中に判定される場合、前記第１のユーザとは異なる第２のユーザが前記画像処理装置に接近してくる可能性が所定程度以上であるとみなされて、前記プレビュー画面において前記プレビュー画像を自動的に非表示化する制御である第１の表示制御と前記プレビュー画像をユーザ操作に応じて非表示化するための非表示化ボタンを前記プレビュー画面に表示する制御である第２の表示制御との少なくとも一方が行われることを特徴とする。
請求項３０の発明は、請求項２９の発明に係るプログラムにおいて、前記第２のユーザは、前記外部装置を用いて前記特定種類のジョブを付与したジョブ実行ユーザであり、前記ステップｄ）においては、前記特定種類のジョブが受信された旨が前記プレビュー画面の表示中に判定される場合、前記第１の表示制御が行われることを特徴とする。
請求項３１の発明は、請求項３０の発明に係るプログラムにおいて、前記ステップｄ）においては、前記特定種類のジョブが完了すると、前記第１の表示制御が行われることを特徴とする。
請求項３２の発明は、請求項３０の発明に係るプログラムにおいて、前記プログラムは、ｅ）前記特定種類のジョブの受信前において、前記外部装置を用いて前記ジョブ実行ユーザによって付与されたジョブが受信されてから、当該ジョブの完了後に前記画像処理装置にて受け取るべき受取対象物が前記ジョブ実行ユーザによって受け取られるまでの受取時間を測定するステップ、をさらに実行するためのプログラムであって、前記ステップｄ）においては、前記外部装置を用いて前記ジョブ実行ユーザによって付与された前記特定種類のジョブが受信された時点から、前記ジョブ実行ユーザが前記画像処理装置に接近してくると予想される予想接近時間であって前記ジョブ実行ユーザからの複数のジョブに関してそれぞれ予め測定され且つ予め記憶されていた各受取時間の平均受取時間に基づき算出された予想接近時間が経過すると、前記第１の表示制御が行われることを特徴とする。
請求項３３の発明は、請求項３０の発明に係るプログラムにおいて、前記ステップｄ）においては、前記画像処理装置にて開始された前記特定種類のジョブにおける未処理ページ数が所定ページ数を下回ると、前記第１の表示制御が行われることを特徴とする。
請求項３４の発明は、請求項３０の発明に係るプログラムにおいて、前記ステップｄ）においては、前記画像処理装置にて開始された前記特定種類のジョブにおける未処理データ量が所定量を下回ると、前記第１の表示制御が行われることを特徴とする。
請求項３５の発明は、請求項３０の発明に係るプログラムにおいて、前記ステップｄ）においては、前記画像処理装置にて開始された前記特定種類のジョブが所定割合以上完了すると、前記第１の表示制御が行われることを特徴とする。
請求項３６の発明は、請求項３０の発明に係るプログラムにおいて、前記ステップｄ）においては、前記特定種類のジョブが受信された旨が前記プレビュー画面の表示中に判定されると、前記第１の表示制御に先立って、前記第２の表示制御が行われることを特徴とする。
請求項３７の発明は、請求項３０の発明に係るプログラムにおいて、前記ステップｄ）は、ｄ−１）前記プレビュー画像を非表示化せずに引き続き表示するための継続表示ボタンを、前記第２のユーザによる前記画像処理装置への接近を警告する警告メッセージとともに、前記プレビュー画面に表示するステップと、ｄ−２）前記継続表示ボタンが前記第１のユーザによって押下されると、前記第２のユーザが前記画像処理装置に接近してくる可能性が所定程度以上であるとみなされた場合であっても、前記プレビュー画像を前記プレビュー画面にて引き続き表示するステップと、を有することを特徴とする。
請求項３８の発明は、請求項３０の発明に係るプログラムにおいて、前記ステップｄ）においては、前記プレビュー画像が前記プレビュー画面において非表示化されると、非表示化された前記プレビュー画像を再び表示するための再表示ボタンが前記プレビュー画面に表示されることを特徴とする。
請求項３９の発明は、請求項３０の発明に係るプログラムにおいて、前記ステップｄ）においては、前記特定種類のジョブが受信された旨が前記プレビュー画面の表示中に判定されると、前記第１の表示制御に先立って、前記ジョブ実行ユーザによる前記画像処理装置への接近を警告する警告メッセージが前記プレビュー画面に表示されることを特徴とする。
請求項４０の発明は、請求項３０の発明に係るプログラムにおいて、前記ステップｄ）においては、前記第１の表示制御において、前記プレビュー画像のうち、前記プレビュー画像に係る前記資料において秘匿すべき領域として予め指定された秘匿領域が自動的に非表示化されることを特徴とする。
請求項４１の発明は、請求項３０の発明に係るプログラムにおいて、前記ステップｄ）においては、前記ジョブ実行ユーザが前記資料の閲覧権限を有しないことを条件として、前記第１の表示制御が行われることを特徴とする。
請求項４２の発明は、請求項３０の発明に係るプログラムにおいて、前記ステップｄ）においては、前記資料の閲覧を許可する閲覧許可ワードとして予め指定された特定のキーワードが前記特定種類のジョブのデータ内に含まれていないことを条件として、前記第１の表示制御が行われることを特徴とする。
請求項４３の発明は、請求項２９の発明に係るプログラムにおいて、前記ステップｄ）においては、前記特定種類のジョブが受信された旨が前記プレビュー画面の表示中に判定されると、前記第２の表示制御が行われることを特徴とする。
請求項４４の発明は、請求項４３の発明に係るプログラムにおいて、前記ステップｄ）においては、前記非表示化ボタンが前記第１のユーザによって押下されると、前記プレビュー画面において前記プレビュー画像が非表示化されることを特徴とする。
請求項４５の発明は、請求項４４の発明に係るプログラムにおいて、前記ステップｄ）においては、前記プレビュー画像が前記プレビュー画面において非表示化されると、非表示化された前記プレビュー画像を再び表示するための再表示ボタンが前記プレビュー画面に表示されることを特徴とする。
請求項４６の発明は、請求項４３の発明に係るプログラムにおいて、前記ステップｄ）においては、前記第２の表示制御において、前記特定種類のジョブの進捗状況もが前記プレビュー画面に表示されることを特徴とする。
請求項４７の発明は、請求項４３の発明に係るプログラムにおいて、前記ステップｄ）においては、前記第２の表示制御において、他ユーザによる前記画像処理装置への接近を警告する警告メッセージもが前記プレビュー画面に表示されることを特徴とする。
請求項４８の発明は、請求項４３の発明に係るプログラムにおいて、前記非表示化ボタンは、前記プレビュー画像のうち、前記プレビュー画像に係る前記資料において秘匿すべき領域として予め指定された秘匿領域を非表示化するためのボタンであることを特徴とする。
請求項４９の発明は、請求項４３の発明に係るプログラムにおいて、前記第２のユーザは、前記外部装置を用いて前記特定種類のジョブを付与したジョブ実行ユーザであり、前記ステップｄ）においては、前記ジョブ実行ユーザが前記資料の閲覧権限を有しないことを条件として、前記第２の表示制御が行われることを特徴とする。
請求項５０の発明は、請求項４３の発明に係るプログラムにおいて、前記ステップｄ）においては、前記資料の閲覧を許可する閲覧許可ワードとして予め指定された特定のキーワードが前記特定種類のジョブのデータ内に含まれていないことを条件として、前記第２の表示制御が行われることを特徴とする。
請求項５１の発明は、請求項２９の発明に係るプログラムにおいて、前記特定種類のジョブは、第１の種類のジョブと第２の種類のジョブとを含み、前記ステップｄ）においては、前記外部装置から受信されたジョブの種類に応じて、前記第１の表示制御と前記第２の表示制御とが切り換えられ、前記第１の種類のジョブが前記外部装置から受信された旨が判定される場合、前記第１の表示制御が行われ、前記第２の種類のジョブが前記外部装置から受信された旨が判定される場合、前記第２の表示制御が行われることを特徴とする。
【発明の効果】
【００３７】
請求項１から請求項５１に記載の発明によれば、特定種類のジョブが受信された旨がプレビュー画面の表示中に判定される場合、第１のユーザとは異なる第２のユーザが画像処理装置に接近してくる可能性が所定程度以上であるとみなされる。そして、プレビュー画面においてプレビュー画像を自動的に非表示化する制御と、プレビュー画像をユーザ操作に応じて非表示化するための非表示化ボタンをプレビュー画面に表示する制御との少なくとも一方が行われる。したがって、画像処理装置への他ユーザの接近の可能性を考慮しつつ、画像処理装置においてプレビュー画面に表示されている資料の他ユーザによる覗き見を抑制することが可能である。
【図面の簡単な説明】
【００３８】
【図１】画像処理システムを示す図である。
【図２】画像処理装置（ＭＦＰ）の機能ブロックを示す図である。
【図３】画像処理システムにおける動作等の概念を示す図である。
【図４】ＭＦＰの動作を示すフローチャートである。
【図５】プレビュー画面（非表示化前）を示す図である。
【図６】プレビュー画面（非表示化前）を示す図である。
【図７】プレビュー画面（非表示化後）を示す図である。
【図８】プルスキャンジョブにおけるログインユーザおよびジョブ実行ユーザの動作の概略を示す図である。
【図９】予想接近時間の算出等を説明する図である。
【図１０】第２実施形態に係るＭＦＰの動作を示すフローチャートである。
【図１１】第２実施形態に係るプレビュー画面（非表示化前）を示す図である。
【図１２】第２実施形態の変形例に係るプレビュー画面（非表示化前）を示す図である。
【図１３】第３実施形態に係るＭＦＰの動作を示すフローチャートである。
【図１４】第３実施形態に係るプレビュー画面（非表示化前）を示す図である。
【図１５】第４実施形態に係るＭＦＰの動作を示すフローチャートである。
【図１６】第４実施形態に係るプレビュー画面（非表示化後）を示す図である。
【図１７】第４実施形態の第２の変形例に係るＭＦＰの動作を示すフローチャートである。
【図１８】第４実施形態の第２の変形例に係るプレビュー画面（非表示化前）を示す図である。
【図１９】変形例に係るプレビュー画面（非表示化後）を示す図である。
【図２０】変形例に係るプレビュー画面（非表示化前）を示す図である。
【発明を実施するための形態】
【００３９】
以下、本発明の実施形態を図面に基づいて説明する。
【００４０】
＜１．第１実施形態＞
＜１−１．構成概要＞
図１は、本発明に係る画像処理システム（画像形成システムとも称される）１を示す図である。図１に示すように、画像処理システム１は、画像処理装置（画像形成装置とも称される）１０と外部装置５０とを備える。
【００４１】
画像処理システム１において、画像処理装置１０と外部装置５０とは、ネットワーク１０８を介して互いに接続される。ネットワーク１０８は、ＬＡＮ（Local Area Network）およびインターネットなどによって構成される。また、ネットワーク１０８に対する接続態様は、有線接続であってもよく、或いは無線接続であってもよい。
【００４２】
この実施形態では、外部装置５０は、画像処理装置１０との間でのネットワーク通信が可能な情報入出力端末装置（情報端末あるいは通信端末とも称される）であり、いわゆるパーソナルコンピュータとして構成される。当該外部装置５０には、プリンタドライバ（ソフトウエアプログラム）がインストールされており、外部装置５０は、ユーザ操作に応じて、当該プリンタドライバを用いて画像処理装置１０にプリントジョブ（詳細にはプリントジョブの印刷対象データおよび実行指令）を送信することが可能である。そして、画像処理装置１０は、外部装置５０から送信されてきたプリントジョブ（詳細にはその印刷対象データおよび実行指令）を受信すると、印刷対象データの印刷出力を開始する。
【００４３】
なお、この実施形態では、外部装置５０からの受信（詳細には印刷対象データおよび実行指令の受信）に応答して（直ちに）開始される通常のプリントジョブ（ここでは「基本プリントジョブ」とも称する）が、当該外部装置５０と画像処理装置１０との間で授受される態様を例示する。
【００４４】
＜１−２．画像処理装置の構成＞
図２は、画像処理装置１０の機能ブロックを示す図である。ここでは、画像処理装置１０として、ＭＦＰ（マルチ・ファンクション・ペリフェラル（Multi-Functional Peripheral））を例示する。図２においては、ＭＦＰ１０の機能ブロックが示されている。
【００４５】
ＭＦＰ１０は、スキャン機能、コピー機能、ファクシミリ機能およびボックス格納機能などを備える装置（複合機とも称する）である。具体的には、ＭＦＰ１０は、図２の機能ブロック図に示すように、画像読取部２、印刷出力部３、通信部４、格納部５、操作部６およびコントローラ（制御部）９等を備えており、これらの各部を複合的に動作させることによって、各種の機能を実現する。
【００４６】
画像読取部２は、ＭＦＰ１０の所定の位置に載置された原稿を光学的に読み取って（すなわちスキャンして）、当該原稿の画像データ（原稿画像あるいはスキャン画像とも称する）を生成する処理部である。この画像読取部２は、スキャン部であるとも称される。
【００４７】
印刷出力部３は、印刷対象に関するデータ（印刷対象データ）に基づいて紙などの各種の媒体に画像を印刷出力する出力部である。
【００４８】
通信部４は、公衆回線等を介したファクシミリ通信を行うことが可能な処理部である。さらに、通信部４は、ネットワーク１０８を介したネットワーク通信を行うことも可能である。このネットワーク通信では、たとえば、ＴＣＰ／ＩＰ（Transmission Control Protocol / Internet Protocol）等の各種のプロトコルが利用される。当該ネットワーク通信を利用することによって、ＭＦＰ１０は、所望の相手先（たとえば、外部装置５０）と連携して各種のデータを授受することが可能である。通信部４は、各種データを送信する送信部４ａと各種データ（ジョブ等）を受信する受信部４ｂとを有する。
【００４９】
格納部５は、ハードディスクドライブ（ＨＤＤ）等の記憶装置で構成される。
【００５０】
操作部６は、ＭＦＰ１０に対する操作入力を受け付ける操作入力部６ａと、各種情報の表示出力を行う表示部６ｂとを備えている。
【００５１】
このＭＦＰ１０においては、略板状の操作パネル部６ｃ（図１参照）が設けられている。また、操作パネル部６ｃは、その正面側にタッチパネル２５（図１参照）を有している。タッチパネル２５は、操作入力部６ａの一部としても機能するとともに、表示部６ｂの一部としても機能する。タッチパネル２５は、液晶表示パネルに各種センサ等が埋め込まれて構成され、各種情報を表示するとともに操作者（ログインユーザ）からの各種の操作入力を受け付けることが可能である。
【００５２】
コントローラ（制御部）９は、ＭＦＰ１０に内蔵され、ＭＦＰ１０を統括的に制御する制御装置である。コントローラ９は、ＣＰＵおよび各種の半導体メモリ（ＲＡＭおよびＲＯＭ）等を備えるコンピュータシステムとして構成される。コントローラ９は、ＣＰＵにおいて、ＲＯＭ（例えば、ＥＥＰＲＯＭ（登録商標））内に格納されている所定のソフトウエアプログラム（以下、単にプログラムとも称する）を実行することによって、各種の処理部を実現する。なお、当該プログラム（詳細にはプログラムモジュール群）は、ＵＳＢメモリなどの可搬性の記録媒体に記録され、当該記録媒体を介してＭＦＰ１０にインストールされてもよい。あるいは、当該プログラムは、ネットワーク１０８等を経由してダウンロードされてＭＦＰ１０にインストールされるようにしてもよい。
【００５３】
具体的には、図２に示すように、コントローラ９は、当該プログラムの実行により、通信制御部１１と入力制御部１２と表示制御部１３と判定部１４とジョブ制御部１５とを含む各種の処理部を実現する。
【００５４】
通信制御部１１は、他の装置（外部装置５０等）との間の通信動作を通信部４等と協働して制御する処理部である。たとえば、通信制御部１１は、外部装置５０のユーザによって付与されたジョブを当該外部装置５０から受信する。
【００５５】
入力制御部１２は、操作入力部６ａ（タッチパネル２５等）に対するユーザからの操作入力の受付動作等を制御する制御部である。
【００５６】
判定部１４は、外部装置５０から受信されたジョブの種類が特定種類のジョブ（たとえば基本プリントジョブ）であるか否か、を判定する処理部である。
【００５７】
表示制御部１３は、表示部６ｂ（タッチパネル２５等）における表示動作を制御する処理部である。具体的には、表示制御部１３は、ＭＦＰ１０のタッチパネル２５に表示されるプレビュー画面２００（図５等参照）に対する表示制御を行う。たとえば、表示制御部１３は、特定種類のジョブ（ここでは基本プリントジョブ）が受信された旨がプレビュー画面２００の表示中に判定される場合、プレビュー画面２００に表示されているプレビュー画像２５０（資料のプレビュー画像２５０）を自動的に非表示化する表示制御（第１の表示制御とも称する）を行う。
【００５８】
ジョブ制御部１５は、ＭＦＰ１０におけるジョブの実行を制御する処理部である。たとえば、外部装置５０からの基本プリントジョブの受信に応答して、ジョブ制御部１５は、印刷出力部３と協働して、当該基本プリントジョブを実行する（印刷対象データを印刷出力する）。
【００５９】
＜１−３．動作＞
図３は、画像処理システム１における動作等の概略を示す図である。
【００６０】
この実施形態では、ログインユーザＵ１が、ＭＦＰ１０に表示されたプレビュー画面２００にて資料のプレビュー画像２５０を閲覧している際に、ログインユーザＵ１とは別のユーザＵ２が、外部装置５０を用いて基本プリントジョブを当該ＭＦＰ１０に対して付与する。ＭＦＰ１０は、基本プリントジョブが受信された旨が判定されると、当該ユーザＵ２がＭＦＰ１０に接近してくる可能性が所定程度以上であるとみなす。そして、受信された基本プリントジョブがＭＦＰ１０にて完了すると、ＭＦＰ１０は、当該プレビュー画面２００においてプレビュー画像２５０を自動的に非表示化する表示制御（第１の表示制御）を行う。
【００６１】
図５は、プレビュー画面２００を示す図である。ここでは、ユーザＵ１が、ＭＦＰ１０にログインした後、種々の操作を経て、プレビュー画面２００をＭＦＰ１０のタッチパネル２５に表示させている。当該プレビュー画面２００には、ＭＦＰ１０の格納部５等に格納されている複数の資料（ここでは２つの資料Ｄ１，Ｄ２）のプレビュー画像２５０（２５１，２５２）が表示されている。なお、これに限定されず、単一の資料における複数ページのプレビュー画像２５０がプレビュー画面２００に表示されていてもよい。
【００６２】
そして、この実施形態では、ユーザＵ１のログイン中に当該プレビュー画面２００がＭＦＰ１０のタッチパネル２５に表示されている際に、ユーザＵ２が外部装置５０を用いて基本プリントジョブ（外部装置５０からの受信に応答して開始されるプリントジョブ）をＭＦＰ１０に送信する（図３も参照）。そして、外部装置５０からの基本プリントジョブの受信に応答して、ＭＦＰ１０（ジョブ制御部１５）は、当該基本プリントジョブを実行する（印刷対象データを印刷出力する）。
【００６３】
図４は、ＭＦＰ１０の動作を示すフローチャートであり、外部装置５０からジョブが受信されると、当該図４の処理が開始される。以下、図４等を参照しつつ説明する。
【００６４】
まず、ＭＦＰ１０（判定部１４）は、外部装置５０から受信されたジョブの種類が特定種類のジョブ（ここでは基本プリントジョブ）であるか否か、を判定する（ステップＳ１２）。
【００６５】
たとえば、特定種類のジョブ（ここでは基本プリントジョブ）以外のジョブ（たとえばボックス保存ジョブ（次述））が受信された旨がステップＳ１２にて判定されると、処理はステップＳ２１へと進む。なお、ボックス保存ジョブは、外部装置５０内のデータが当該外部装置５０からＭＦＰ１０に送信されてＭＦＰ１０に格納されるジョブである。
【００６６】
ステップＳ２１においては、プレビュー画像２５０を引き続きプレビュー画面２００に表示する旨（第１の表示制御を行わない旨）が決定される。プレビュー画像２５０を引き続き表示する旨が決定されると、外部装置５０からのジョブ（たとえばボックス保存ジョブ）の受信後において、プレビュー画像２５０がプレビュー画面２００に表示され続けるとともに、ジョブ完了後においても、当該プレビュー画像２５０がプレビュー画面２００に引き続き表示される。
【００６７】
一方、特定種類のジョブ（ここでは基本プリントジョブ）が受信された旨がステップＳ１２にて判定されると、処理はステップＳ１３へと進む。
【００６８】
ステップＳ１３においては、ＭＦＰ１０（表示制御部１３）は、他ユーザ（詳細には、外部装置５０を用いて基本プリントジョブを付与したジョブ実行ユーザ（ここではユーザＵ２））がＭＦＰ１０に接近してくる可能性が所定程度以上であるとみなす。すなわち、外部装置５０から受信されたジョブの完了後にＭＦＰ１０にて受け取るべき受取対象物（たとえばプリントジョブにおける印刷出力物）が存在するジョブが受信されると、ジョブ実行ユーザによるＭＦＰ１０への接近可能性が所定程度以上であるとみなされる。そして、処理はステップＳ１５へと進む。
【００６９】
ステップＳ１５においては、他ユーザ（詳細には基本プリントジョブのジョブ実行ユーザＵ２）によるＭＦＰ１０への接近を警告する警告メッセージ３１０がプレビュー画面２００に表示される（図６参照）。
【００７０】
具体的には、ＭＦＰ１０は、受信された基本プリントジョブのジョブ情報に含まれるユーザＩＤ等に基づき、当該基本プリントジョブを付与したジョブ実行ユーザ（ここではユーザＵ２）を特定する。そして、ＭＦＰ１０（表示制御部１３）は、図６に示すように、「ユーザＵ２が印刷を実行しました。ジョブ完了時に資料を非表示にします。」との内容の警告メッセージ３１０をプレビュー画面２００に表示する。当該警告メッセージ３１０を確認したログインユーザＵ１は、ジョブ実行ユーザＵ２がＭＦＰ１０へと接近してくる恐れがあること、および基本プリントジョブの完了後に資料が非表示化されることを知得する。
【００７１】
ステップＳ１８においては、ＭＦＰ１０は、外部装置５０から受信されたジョブ（ここでは基本プリントジョブ）の完了を待機し、当該基本プリントジョブが完了する（基本プリントジョブにおける全ての印刷対象データの印刷出力が完了する）と、処理はステップＳ１９へと進む。
【００７２】
そして、ステップＳ１９においては、ＭＦＰ１０（表示制御部１３）は、プレビュー画面２００においてプレビュー画像２５０を自動的に非表示化する（第１の表示制御を行う）。図７は、第１の表示制御後におけるプレビュー画面２００を示す図である。図７に示すように、プレビュー画面２００に表示されていたプレビュー画像２５０（ここでは資料Ｄ１，Ｄ２のプレビュー画像２５１，２５２（図５参照）の双方）が、自動的に非表示化される。
【００７３】
このように、この実施形態においては、ＭＦＰ１０にてプレビュー画面２００が表示されている際に基本プリントジョブが外部装置５０から受信される場合、当該基本プリントジョブの完了に応答して、当該プレビュー画面２００に表示されている資料のプレビュー画像２５０が自動的に非表示化される。
【００７４】
そして、処理はステップＳ２０へと進み、プレビュー画面２００においてプレビュー画像２５０が非表示化されると、非表示化されたプレビュー画像２５０（ここではプレビュー画像２５１，２５２）を再び表示するための再表示ボタン４００（図７参照）が、プレビュー画面２００に表示される（ステップＳ２０）。
【００７５】
その後、基本プリントジョブのジョブ実行ユーザＵ２は、当該基本プリントジョブの完了後にＭＦＰ１０へと接近し、印刷出力物をＭＦＰ１０にて受け取る。ログインユーザＵ１は、ユーザＵ２が印刷出力物を受け取りＭＦＰ１０から離れたことを確認した後、当該再表示ボタン４００を押下する。当該再表示ボタン４００が押下されると、非表示化されていたプレビュー画像２５０（ここでは資料Ｄ１，Ｄ２のプレビュー画像２５１，２５２）がプレビュー画面２００に再び表示される（図５参照）。
【００７６】
以上のように、第１実施形態に係る動作においては、特定種類のジョブ（ここでは基本プリントジョブ）が外部装置５０から受信される場合、ログインユーザＵ１とは異なる他ユーザ（詳細にはジョブ実行ユーザＵ２）がＭＦＰ１０に接近してくる可能性が所定程度以上であるとみなされる。そして、プレビュー画面２００において資料（Ｄ１，Ｄ２）のプレビュー画像２５０（２５１，２５２）が自動的に非表示化される。すなわち、外部装置５０から受信されたジョブの完了後にＭＦＰ１０にて受け取るべき受取対象物（たとえば基本プリントジョブの印刷出力物）が存在する種類のジョブが受信されると、当該外部装置５０のユーザによる接近（受取対象物を受け取るための接近）に備えて、資料のプレビュー画像２５０が自動的に非表示化される。したがって、ＭＦＰ１０への他ユーザ（ここではジョブ実行ユーザＵ２）の接近の可能性を考慮しつつ、ＭＦＰ１０においてプレビュー画面２００に表示されている資料の他ユーザによる覗き見を抑制することが可能である。
【００７７】
ここにおいて、多くのユーザは、外部装置５０を用いて付与したジョブの完了後に、ＭＦＰ１０へと接近して受取対象物（たとえば印刷出力物）を受け取る。換言すれば、外部装置５０から受信されたジョブの完了前にＭＦＰ１０へと接近してくるジョブ実行ユーザは、比較的少ない。
【００７８】
本願発明者はこの点に着目し、上記第１実施形態では、外部装置５０から受信された特定種類のジョブ（ここでは基本プリントジョブ）が完了するまでは、プレビュー画像２５０がプレビュー画面２００に表示され、当該ジョブが完了すると、当該プレビュー画像２５０が自動的に非表示化される。その結果、特定種類のジョブの受信に応答してプレビュー画像２５０が直ちに非表示化される場合と比較して、当該プレビュー画像２５０が非表示化された状態でログインユーザＵ１がジョブ実行ユーザＵ２の接近を待機する時間を短くすることが可能である。ひいては、ログインユーザＵ１の作業効率の低下を抑制することが可能である。
【００７９】
なお、上記第１実施形態では、基本プリントジョブが受信されると、ログインユーザＵ１とは異なる他ユーザ（詳細にはジョブ実行ユーザＵ２）によるＭＦＰ１０への接近可能性が所定程度以上であるとみなされる（ステップＳ１３）態様を例示したが、これに限定されない。
【００８０】
たとえば、プルスキャンジョブ（次述）が受信されると、当該他ユーザ（ジョブ実行ユーザＵ２）によるＭＦＰ１０への接近可能性が所定程度以上であるとみなされるようにしてもよい。なお、プルスキャンジョブは、外部装置５０からの受信に応答して開始されるスキャンジョブである。
【００８１】
図８は、プルスキャンジョブにおけるログインユーザＵ１およびジョブ実行ユーザＵ２の動作の概略を示す図である。
【００８２】
ユーザＵ２は、ＭＦＰ１０の所定の位置に原稿を載置した（ステップＳ１）後、自席（自席に配置された外部装置５０）へと移動する（ステップＳ２）。その後、ユーザＵ１が、ＭＦＰ１０にログインしてプレビュー画面２００をＭＦＰ１０のタッチパネル２５に表示させる（ステップＳ３）。さらにその後、ユーザＵ２が外部装置５０を用いてプルスキャンジョブをＭＦＰ１０に付与すると、外部装置５０からＭＦＰ１０へとプルスキャンジョブ（詳細にはその実行指令）が送信される（ステップＳ４）。ＭＦＰ１０においては、当該外部装置５０からプルスキャンジョブが受信されると、当該プルスキャンジョブが開始されるとともに、当該プルスキャンジョブのジョブ実行ユーザＵ２によるＭＦＰ１０への接近可能性が所定程度以上であるとみなされる（ステップＳ１３）。そして、当該プルスキャンジョブが完了する（全ての原稿が読み取られて当該全ての原稿のスキャン画像が生成される）（ステップＳ１８）と、プレビュー画面２００にて資料のプレビュー画像２５０が自動的に非表示化される（ステップＳ１９）。
【００８３】
このように、外部装置５０からプルスキャンジョブが受信されると、ログインユーザとは異なる他ユーザ（詳細にはジョブ実行ユーザ）によるＭＦＰ１０への接近可能性が所定程度以上であるとみなされるようにしてもよい。
【００８４】
また、上記第１実施形態等では、外部装置５０から受信された特定種類のジョブ（たとえば基本プリントジョブ）が完了すると、プレビュー画面２００においてプレビュー画像２５０を自動的に非表示化する第１の表示制御が行われる態様を例示したが、これに限定されない。
【００８５】
たとえば、特定種類のジョブが外部装置５０から受信された時点から、ジョブ実行ユーザがＭＦＰ１０へと接近してくると予想される予想接近時間Ｔｂが経過すると、当該第１の表示制御が行われるようにしてもよい。
【００８６】
図９は、予想接近時間Ｔｂの算出等を説明する図である。
【００８７】
具体的には、ＭＦＰ１０は測定部（計測部）を有し、当該測定部は、事前に、外部装置５０を用いてジョブ実行ユーザによって付与されたジョブが受信されてから、当該ジョブの完了後にＭＦＰ１０にて受け取るべき受取対象物が当該ジョブ実行ユーザによって受け取られるまでの受取時間を測定する。
【００８８】
たとえば、ユーザＵ２が外部装置５０を用いて基本プリントジョブをＭＦＰ１０に対して付与すると、外部装置５０を用いてユーザＵ２によって付与された基本プリントジョブが受信されてから当該ユーザＵ２がＭＦＰ１０にて印刷出力物を受け取るまでの受取時間（たとえば１０秒）が測定される。また、ユーザＵ２が外部装置５０を用いてプルスキャンジョブをＭＦＰ１０に対して付与すると、外部装置５０を用いてユーザＵ２によって付与されたプルスキャンジョブが受信されてから当該ユーザＵ２がＭＦＰ１０にて原稿を受け取るまでの受取時間（たとえば１５秒）が測定される。なお、受取対象物（印刷出力物、原稿等）がユーザによって受け取られたか否かの判定には、センサ等が用いられればよい。
【００８９】
そして、ＭＦＰ１０は、ユーザＵ２からの複数のジョブに関してそれぞれ測定された各受取時間を平均化した平均受取時間Ｔａを算出するとともに、算出された平均受取時間Ｔａを、ユーザＵ２と対応付けて格納部５に予め記憶しておく。ここでは、ユーザＵ２の平均受取時間Ｔａが１０秒である旨が、ＭＦＰ１０の格納部５に記憶される（図９も参照）。また、ＭＦＰ１０は、ユーザＵ２によるジョブが受信された後に当該ユーザＵ２がＭＦＰ１０へと接近してくると予想される予想接近時間Ｔｂを、ユーザＵ２の平均受取時間Ｔａに基づき算出し、ユーザＵ２と対応付けて格納部５に予め記憶しておく。ここでは、ユーザＵ２の平均受取時間Ｔａ（ここでは１０秒）よりも所定時間ΔＴ（たとえば２秒）短い時間が、予想接近時間Ｔｂ（＝Ｔａ−ΔＴ）（８秒）として、ユーザＵ２と対応付けて格納部５に予め記憶される。
【００９０】
その後、外部装置５０を用いてユーザＵ２によって付与された基本プリントジョブが受信された旨がステップＳ１２にて判定される場合、当該基本プリントジョブが受信された時点から、当該ユーザＵ２に対応付けて記憶されている予想接近時間Ｔｂ（ここでは８秒）が経過すると、第１の表示制御が行われるようにしてもよい。
【００９１】
また、ＭＦＰ１０にて開始された基本プリントジョブの進捗度合いが所定程度に到達すると、第１の表示制御が行われるようにしてもよい。
【００９２】
たとえば、ＭＦＰ１０にて開始された基本プリントジョブにおける未処理ページ数（残存ページ数）が所定ページ数（たとえば５ページ）を下回ると、プレビュー画面２００にてプレビュー画像２５０が自動的に非表示化されてもよい。
【００９３】
また、ＭＦＰ１０にて開始された基本プリントジョブにおける未処理データ量（残存データ量）が所定量（たとえば５００キロバイト）を下回ると、プレビュー画面２００にてプレビュー画像２５０が自動的に非表示化されてもよい。
【００９４】
さらに、ＭＦＰ１０にて開始された基本プリントジョブが所定割合（たとえば９０％）以上完了すると、プレビュー画面２００にてプレビュー画像２５０が自動的に非表示化されてもよい。
【００９５】
このように、ＭＦＰ１０にて開始された基本プリントジョブの進捗度合いが所定程度に到達すると、プレビュー画面２００においてプレビュー画像２５０を自動的に非表示化する第１の表示制御が行われるようにしてもよい。なお、当該変形例（基本プリントジョブの進捗度合いを考慮する態様）は、基本プリントジョブの全ページ数が一定ページ数（たとえば１０ページ）よりも多い場合、あるいは基本プリントジョブの全データ量が一定量（たとえば１メガバイト）よりも大きい場合に特に有用である。
【００９６】
＜２．第２実施形態＞
第２実施形態は、第１実施形態の変形例である。以下では、第１実施形態との相違点を中心に説明する。
【００９７】
上記第１実施形態では、特定種類のジョブが受信された旨が判定される場合、プレビュー画面２００においてプレビュー画像２５０を自動的に非表示化する第１の表示制御が行われる態様を例示した。
【００９８】
この第２実施形態では、特定種類のジョブが受信された旨が判定される場合、当該プレビュー画像２５０をユーザ操作に応じて非表示化するための非表示化ボタン３６０をプレビュー画面２００に表示する表示制御（第２の表示制御とも称する）が行われる態様を例示する。
【００９９】
なお、この第２実施形態においても、ユーザＵ１のログイン中において資料Ｄ１，Ｄ２のプレビュー画像２５１，２５２がプレビュー画面２００に表示されている（図５参照）際に、ユーザＵ２が外部装置５０を用いて基本プリントジョブをＭＦＰ１０に送信する状況を想定する。
【０１００】
図１０は、第２実施形態に係るＭＦＰ１０の動作を示すフローチャートである。この第２実施形態は、ステップＳ３１，Ｓ３２の処理が行われる点で、上記第１実施形態とは異なる。なお、図１０のステップＳ１２，Ｓ１３，Ｓ１９〜Ｓ２１の処理は、上記第１実施形態（図４）と同様にして行われる。
【０１０１】
具体的には、特定種類のジョブ（ここでは基本プリントジョブ）が受信された旨がステップＳ１２にて判定されると、ログインユーザＵ１とは異なる他ユーザ（ここではジョブ実行ユーザＵ２）がＭＦＰ１０に接近してくる可能性が所定程度以上であるとステップＳ１３にてみなされ、処理はステップＳ３１へと進む。
【０１０２】
ステップＳ３１においては、ＭＦＰ１０（表示制御部１３）は、非表示化ボタン３６０（図１１参照）をプレビュー画面２００に表示する表示制御（第２の表示制御）を行う。当該非表示化ボタン３６０は、プレビュー表示されている資料のプレビュー画像２５０（ここでは資料Ｄ１，Ｄ２のプレビュー画像２５１，２５２）をユーザ操作に応じて（直ちに）非表示化するためボタンである。
【０１０３】
また、ステップＳ３１（第２の表示制御）においては、他ユーザ（ここではジョブ実行ユーザＵ２）によるＭＦＰ１０への接近を警告する警告メッセージ３２０もがプレビュー画面２００に表示される（図１１参照）。具体的には、図１１に示すように、「ユーザＵ２が印刷を実行しました。資料を隠す場合は、非表示化ボタンを押してください。」との内容の警告メッセージ３２０がプレビュー画面２００に表示される。
【０１０４】
そして、ステップＳ３２においては、非表示化ボタン３６０が押下されたか否か、が判定される。たとえば、ログインユーザＵ１は、ＭＦＰ１０への他ユーザ（特にジョブ実行ユーザＵ２）の接近に注意し、任意のタイミング（たとえば基本プリントジョブのジョブ実行ユーザＵ２が自席を離れたことを確認したタイミング）で当該非表示化ボタン３６０を押下する。
【０１０５】
ログインユーザＵ１によって非表示化ボタン３６０が押下されると、プレビュー画面２００においてプレビュー画像２５０（２５１，２５２）が直ちに非表示化され（図７参照）（ステップＳ１９）、再表示ボタン４００がプレビュー画面２００に表示される（ステップＳ２０）。
【０１０６】
このように、第２実施形態においては、特定種類のジョブ（ここでは基本プリントジョブ）が外部装置５０から受信されると、プレビュー表示されている資料のプレビュー画像２５０をユーザ操作に応じて非表示化するための非表示化ボタン３６０が、プレビュー画面２００に表示される。そのため、ログインユーザＵ１は、ＭＦＰ１０に接近してくる他ユーザを目視で確認した上で当該資料を非表示化させることができる。したがって、ＭＦＰ１０への他ユーザ（ここではユーザＵ２）の接近の可能性を考慮しつつ、ＭＦＰ１０においてプレビュー画面２００に表示されている資料の他ユーザによる覗き見を抑制することが可能である。
【０１０７】
また、上記第２実施形態では、基本プリントジョブが受信された旨がプレビュー画面２００の表示中に判定されると、他ユーザ（詳細にはジョブ実行ユーザＵ２）によるＭＦＰ１０への接近を警告する警告メッセージ３２０（図１１参照）がプレビュー画面２００に表示される。そのため、ログインユーザＵ１に対して、他ユーザ（ジョブ実行ユーザＵ２）がＭＦＰ１０に接近してくる恐れがあることを認識させるとともに、プレビュー表示されている資料の覗き見に注意すべき旨を喚起することが可能である。
【０１０８】
なお、上記第２実施形態では、基本プリントジョブが受信されると、ログインユーザＵ１とは異なる他ユーザ（詳細にはジョブ実行ユーザＵ２）によるＭＦＰ１０への接近可能性が所定程度以上であるとみなされる（ステップＳ１３）態様を例示したが、これに限定されない。
【０１０９】
たとえば、プルスキャンジョブが受信されると、ログインユーザＵ１とは異なる他ユーザ（詳細にはジョブ実行ユーザ）によるＭＦＰ１０への接近可能性が所定程度以上であるとステップＳ１３にてみなされるようにしてもよい。
【０１１０】
あるいは、親展プリントジョブ（次述）が受信されると、当該他ユーザ（ジョブ実行ユーザ）によるＭＦＰ１０への接近可能性が所定程度以上であるとみなされるようにしてもよい。
【０１１１】
親展プリントジョブは、外部装置５０から受信された印刷対象データがＭＦＰ１０に一旦格納されるとともに、ＭＦＰ１０でのユーザ操作に応答して当該印刷対象データの印刷出力が開始されるプリントジョブである。具体的には、親展プリントジョブ（詳細には印刷対象データ）が外部装置５０から受信されると、ＭＦＰ１０は、その実行を直ちに開始せず、当該親展プリントジョブにおける印刷対象データをＭＦＰ１０に一旦格納する。親展プリントジョブのジョブ実行ユーザは、外部装置５０を用いて親展プリントジョブをＭＦＰ１０に送信した後、ＭＦＰ１０へと移動し、印刷出力の開始を指示する所定のユーザ操作（たとえば認証情報の入力）を行う。ＭＦＰ１０のタッチパネル２５にてジョブ実行ユーザによる所定のユーザ操作が受け付けられると、当該所定のユーザ操作に応答して、ＭＦＰ１０に格納されていた印刷対象データの印刷出力が開始される。
【０１１２】
第２実施形態においては、外部装置５０から親展プリントジョブ（詳細にはその印刷対象データ）が受信されると、親展プリントジョブのジョブ実行ユーザがＭＦＰ１０に接近してくる可能性が所定程度以上であるとステップＳ１３にてみなされるようにしてもよい。
【０１１３】
また、ファクシミリ受信ジョブが受信されると、ログインユーザＵ１とは異なる他ユーザによるＭＦＰ１０への接近可能性が所定程度以上であるとステップＳ１３にてみなされるようにしてもよい。たとえば、ファクシミリ受信ジョブが外部装置から受信された旨がステップＳ１２にて判定されると、ログインユーザＵ１とは異なる他ユーザ（ファクシミリ受信ジョブの受信対象ユーザ、あるいはログインユーザＵ１と受信対象ユーザとのいずれとも異なるユーザ）がＭＦＰ１０に接近してくる可能性が所定程度以上であるとみなされるようにしてもよい。
【０１１４】
また、上記第２実施形態等においては、ステップＳ１３（非表示化ボタン３６０をプレビュー画面２００に表示する第２の表示制御）において、特定種類のジョブの進捗状況もがプレビュー画面２００に表示されるようにしてもよい。
【０１１５】
たとえば、基本プリントジョブが受信されると、ＭＦＰ１０は、当該基本プリントジョブのジョブ情報に基づき、当該基本プリントジョブにおける印刷ページ数（全ページ数）を取得する。さらに、ＭＦＰ１０は、ＭＦＰ１０にて開始された基本プリントジョブにおける処理済ページ数（印刷済ページ数）をも取得する。そして、ステップＳ３１の第２の表示制御において、非表示化ボタン３６０とともに、基本プリントジョブにおける全ページ数および処理済ページ数（印刷済ページ数）もがプレビュー画面２００に表示される（図１２参照）。その後、ログインユーザＵ１は、たとえば印刷済ページ数が全ページ数の９０％程度に到達したことを確認し、非表示化ボタン３６０を押下する。
【０１１６】
このように、ステップＳ３１（第２の表示制御）において、特定種類のジョブ（ここでは基本プリントジョブ）の進捗状況もがプレビュー画面２００に表示されてもよい。これによれば、ログインユーザＵ１は、ＭＦＰ１０にて実行中の特定種類のジョブ（ここでは基本プリントジョブ）における進捗状況を確認しつつ、他ユーザ（ジョブ実行ユーザＵ２）がＭＦＰ１０へと接近してくる時期を推測することが可能である。なお、進捗状況としてプレビュー画面２００に表示される情報は、全ページ数および処理済ページ数に限らず、全データ量および処理済データ量（印刷済データ量）であってもよく、あるいは、ジョブの残存時間等であってもよい。また、特定種類のジョブにおける処理済ページ数（あるいは処理済データ量）のみが進捗状況を示す情報としてプレビュー画面２００に表示されてもよい。
【０１１７】
＜３．第３実施形態＞
第３実施形態は、第１実施形態の変形例である。以下では、第１実施形態との相違点を中心に説明する。
【０１１８】
この第３実施形態では、プレビュー画面２００にてプレビュー画像２５０を自動的に非表示化する第１の表示制御に先立って、非表示化ボタン３６０をプレビュー画面２００に表示する第２の表示制御が行われる。
【０１１９】
図１３は、第３実施形態に係るＭＦＰ１０の動作を示すフローチャートである。図１３に示すように、第３実施形態では、上記第１実施形態（図４参照）のステップＳ１５とステップＳ１８との間に、ステップＳ１６およびステップＳ１７の処理が行われる。
【０１２０】
具体的には、特定種類のジョブ（たとえば基本プリントジョブ）が受信された旨がステップＳ１２にて判定され、ジョブ実行ユーザＵ２によるＭＦＰ１０への接近可能性が所定程度以上であるとステップＳ１３にてみなされると、警告メッセージ３１０がプレビュー画面２００に表示される（ステップＳ１５）。
【０１２１】
この第３実施形態のステップＳ１５では、ＭＦＰ１０（表示制御部１３）は、警告メッセージ３１０とともに、非表示化ボタン３５２および継続表示ボタン３５１をもプレビュー画面２００に表示する（図１４参照）。非表示化ボタン３５２（図１４においては「今すぐ非表示」ボタン）は、プレビュー画面２００においてプレビュー画像２５０を直ちに非表示化するためのボタンである。また、継続表示ボタン３５１（図１４においては「非表示にしない」ボタン）は、プレビュー画像２５０を非表示化せずに引き続きプレビュー画面２００に表示するためのボタンである。
【０１２２】
そして、ステップＳ１６，Ｓ１７においては、継続表示ボタン３５１あるいは非表示化ボタン３５２が押下されたか否か、が判定される。
【０１２３】
たとえば、プレビュー表示されている資料（ここでは資料Ｄ１，Ｄ２）が他ユーザに見られても構わないとログインユーザＵ１が判断した場合、ログインユーザＵ１は、継続表示ボタン３５１を押下する。継続表示ボタン３５１がログインユーザＵ１によって押下されると、処理はステップＳ１６からステップＳ２１へと進む。そして、ジョブ実行ユーザＵ２によるＭＦＰへの接近可能性が所定程度以上であるとステップＳ１３にてみなされた場合であっても、資料Ｄ１，Ｄ２のプレビュー画像２５１，２５２をプレビュー画面２００にて引き続き表示する旨が決定される（ステップＳ２１）。その後、特定種類のジョブ（たとえば基本プリントジョブ）の完了後においても、当該プレビュー画像２５１，２５２が、非表示化されることなくプレビュー画面２００に引き続き表示される（図５参照）。
【０１２４】
また、たとえば基本プリントジョブの完了前にジョブ実行ユーザＵ２がＭＦＰ１０へと接近してきた場合、ログインユーザＵ１は、非表示化ボタン３５２を押下する。非表示化ボタン３５２がログインユーザＵ１によって押下されると、処理はステップＳ１８を経ずにステップＳ１７からステップＳ１９へと進む。そして、外部装置５０から受信された基本プリントジョブが完了する前であっても、プレビュー画面２００において当該プレビュー画像２５０（２５１，２５２）が直ちに非表示化される（ステップＳ１９）（図７参照）。
【０１２５】
なお、継続表示ボタン３５１と非表示化ボタン３５２とのいずれもがユーザＵ１によって押下されずに基本プリントジョブが完了すると、処理はステップＳ１８からステップＳ１９へと進み、プレビュー画像２５０が自動的に非表示化される（第１の表示制御が行われる）。
【０１２６】
このように、第３実施形態では、第１の表示制御に先立って、プレビュー画像２５０を非表示化するための非表示化ボタン３５２を表示する第２の表示制御が行われる。そのため、第１の表示制御が行われる前に他ユーザ（たとえばジョブ実行ユーザＵ２）がＭＦＰ１０へと接近してきた場合であっても、ログインユーザＵ１は、非表示化ボタン３５２を押下することによって、プレビュー表示されている資料の当該ジョブ実行ユーザＵ２による覗き見を回避することが可能である。
【０１２７】
＜４．第４実施形態＞
第４実施形態は、第１実施形態の変形例である。以下では、第１実施形態との相違点を中心に説明する。
【０１２８】
この第４実施形態では、外部装置５０から受信された特定種類のジョブのジョブ実行ユーザＵ２が、プレビュー画面２００に表示されている資料の閲覧権限を有するか否か、が考慮される。
【０１２９】
図１５は、第４実施形態に係るＭＦＰ１０の動作を示すフローチャートである。図１５に示すように、第４実施形態では、上記第１実施形態（図４参照）のステップＳ１３とステップＳ１５との間に、ステップＳ１４の処理が行われる。なお、図１５のステップＳ１４以外の処理は、上記第１実施形態と同様にして行われる。
【０１３０】
具体的には、特定種類のジョブ（たとえば基本プリントジョブ）が受信された旨がステップＳ１２にて判定され、ジョブ実行ユーザＵ２によるＭＦＰ１０への接近可能性が所定程度以上であるとステップＳ１３にてみなされると、処理はステップＳ１４へと進む。
【０１３１】
ステップＳ１４においては、ＭＦＰ１０（判定部１４）は、プレビュー画面２００に表示されている資料Ｄ１，Ｄ２（図５参照）の閲覧権限をジョブ実行ユーザＵ２が有するか否か、を判定する。
【０１３２】
具体的には、管理者（あるいは資料作成者）は、ＭＦＰ１０に格納されている資料の閲覧権限を有するユーザを予め登録しておく。そして、外部装置５０から受信された基本プリントジョブのジョブ情報に含まれるユーザＩＤ等に基づきジョブ実行ユーザ（ここではユーザＵ２）が特定され、当該ジョブ実行ユーザＵ２が、プレビュー表示されている資料（ここでは資料Ｄ１，Ｄ２）の閲覧権限を有するか否か、がステップＳ１４にて判定される。
【０１３３】
たとえば、プレビュー表示されている資料Ｄ１，Ｄ２の双方の閲覧権限をジョブ実行ユーザＵ２が有する場合、処理はステップＳ１４からステップＳ２１へと進み、プレビュー画像２５０（２５１，２５２）がプレビュー画面２００に引き続き表示される。換言すれば、プレビュー表示されている資料Ｄ１，Ｄ２の閲覧権限をジョブ実行ユーザＵ２が有する場合、当該資料Ｄ１，Ｄ２のプレビュー画像２５１，２５２の継続表示が許可される。
【０１３４】
一方、プレビュー表示されている資料Ｄ１，Ｄ２の閲覧権限をジョブ実行ユーザＵ２が有しない場合、処理はステップＳ１４からステップＳ１５以降へと進み、ステップＳ１９において、ジョブ実行ユーザＵ２が閲覧権限を有しない資料のプレビュー画像２５０が自動的に非表示化される。
【０１３５】
たとえば、当該資料Ｄ１，Ｄ２の双方の閲覧権限をジョブ実行ユーザＵ２が有しない場合、ステップＳ１９においては、当該資料Ｄ１，Ｄ２のプレビュー画像２５１，２５２の双方が自動的に非表示化される（図７参照）。
【０１３６】
また、当該資料Ｄ１，Ｄ２のうちの一部の資料（たとえば資料Ｄ１）の閲覧権限をジョブ実行ユーザＵ２が有さず、残余の資料（たとえば資料Ｄ２）の閲覧権限を当該ユーザＵ２が有する場合、ステップＳ１９においては、資料Ｄ１，Ｄ２のうち当該資料Ｄ１のプレビュー画像２５１が自動的に非表示化される（図１６参照）。換言すれば、資料Ｄ１，Ｄ２のうちジョブ実行ユーザＵ２が閲覧権限を有する資料Ｄ２のプレビュー画像２５２は、プレビュー画面２００にて引き続き表示される。
【０１３７】
このように、第４実施形態においては、プレビュー表示されている資料の閲覧権限をジョブ実行ユーザＵ２が有しないことを条件として、当該資料のプレビュー画像２５０を自動的に非表示化する第１の表示制御が行われる。換言すれば、ジョブ実行ユーザが当該資料の閲覧権限を有する場合は、当該資料のプレビュー画像２５０は非表示化されない。したがって、ジョブ実行ユーザが資料の閲覧権限を有するにもかかわらず当該資料のプレビュー画像２５０が非表示化されること、に起因するログインユーザＵ１の作業効率の低下を抑制することが可能である。
【０１３８】
＜第４実施形態の第１の変形例＞
上記第４実施形態では、資料の閲覧権限を有するユーザを予め登録しておくことによって、プレビュー表示されている資料に関するジョブ実行ユーザの閲覧権限の有無が判定される態様を例示したが、これに限定されない。たとえば、プレビュー表示されている資料の閲覧を許可する閲覧許可ワードとして予め指定された特定のキーワードが、外部装置５０からの特定種類のジョブのデータ内に含まれているか否かによって、プレビュー表示されている資料に関するジョブ実行ユーザの閲覧権限の有無が判定されてもよい。
【０１３９】
具体的には、管理者（あるいは資料作成者）は、ＭＦＰ１０に格納された資料に対して、特定のキーワードを、当該資料の閲覧を許可する閲覧許可ワードとして予め指定する。たとえば、当該資料の関係者間（たとえば資料作成者が属する部署内）のみで利用される共通のコード（たとえば開発コード）が、当該閲覧許可ワードとして当該資料に対して予め指定される。
【０１４０】
そして、ステップＳ１４においては、プレビュー画面２００にてプレビュー表示されている資料Ｄ１，Ｄ２に対して閲覧許可ワードとして予め指定された開発コードが、外部装置５０から受信された特定種類のジョブのデータ（たとえば基本プリントジョブの印刷対象データ）内に含まれているか否か、が判定（検索）される。
【０１４１】
たとえば、プレビュー表示されている資料に対して予め指定された開発コードが、外部装置５０から受信された基本プリントジョブの印刷対象データ内に含まれている旨が判定されると、当該基本プリントジョブのジョブ実行ユーザが当該資料の閲覧権限を有する旨がステップＳ１４にて判定される。詳細には、当該資料の関係者間のみで利用される共通のコードがそのデータ内に含まれるジョブが受信された場合、当該ジョブのジョブ実行ユーザは当該資料の関係者である（たとえば資料を閲覧しているユーザと同じ部署に属する）とみなされて、当該ジョブ実行ユーザが当該資料の閲覧権限を有する旨が判定される。そして、処理はステップＳ２１へと進み、当該資料のプレビュー画像２５０がプレビュー画面２００にて引き続き表示される。
【０１４２】
一方、プレビュー表示されている資料に対して予め指定された開発コードが、外部装置５０から受信された基本プリントジョブの印刷対象データ内に含まれていない旨が判定されると、ジョブ実行ユーザＵ２が当該資料の閲覧権限を有しない旨がステップＳ１４にて判定される。詳細には、当該基本プリントジョブのジョブ実行ユーザＵ２が当該資料の関係者ではないとみなされて、当該ジョブ実行ユーザが当該資料の閲覧権限を有しない旨がステップＳ１４にて判定される。そして、処理はステップＳ１５以降へと進み、ステップＳ１９においては、ジョブ実行ユーザＵ２が閲覧権限を有しない資料のプレビュー画像２５０がプレビュー画面２００にて非表示化される。
【０１４３】
たとえば、資料Ｄ１，Ｄ２のそれぞれに対して指定された開発コードの双方が当該基本プリントジョブの印刷対象データ内に含まれていない旨が判定されると、ジョブ実行ユーザＵ２が当該資料Ｄ１，Ｄ２の双方の閲覧権限を有しない旨がステップＳ１４にて判定される。そして、ステップＳ１９においては、当該資料Ｄ１，Ｄ２のプレビュー画像２５１，２５２の双方が、プレビュー画面２００にて非表示化される（図７参照）。
【０１４４】
また、資料Ｄ１，Ｄ２のうちの一部の資料（たとえば資料Ｄ１）に対して指定された開発コードが当該基本プリントジョブの印刷対象データ内に含まれていない場合、ジョブ実行ユーザＵ２が当該資料Ｄ１の閲覧権限を有しない旨がステップＳ１４にて判定される。換言すれば、資料Ｄ１，Ｄ２のうち当該一部の資料を除く残余の資料（ここでは資料Ｄ２）の閲覧権限をジョブ実行ユーザＵ２が有する旨がステップＳ１４にて判定される。そして、ステップＳ１９においては、資料Ｄ１，Ｄ２のうち、ジョブ実行ユーザＵ２が閲覧権限を有しない資料Ｄ１のプレビュー画像２５１のみがプレビュー画面２００にて非表示化され、ジョブ実行ユーザＵ２が閲覧権限を有する資料Ｄ２のプレビュー画像２５２は、プレビュー画面２００にて引き続き表示される（図１６参照）。
【０１４５】
このように、閲覧許可ワードとして予め指定された特定のキーワード（ここでは開発コード）が、外部装置５０から受信された特定種類のジョブのデータ内に含まれていないことを条件として、プレビュー画面２００においてプレビュー画像２５０が自動的に非表示化される。
【０１４６】
なお、プルスキャンジョブが特定種類のジョブとして受信された場合は、原稿のスキャン処理と並行して、プルスキャンジョブのデータ（スキャン画像データ）が解析されて特定のキーワードの有無が判定されればよい。
【０１４７】
＜第４実施形態の第２の変形例＞
上記第４実施形態（および第４実施形態の第１の変形例）を第１実施形態の変形例として説明したが、第４実施形態（および第４実施形態の第１の変形例）の思想を第２実施形態に適用する場合、次のような動作が行われる。
【０１４８】
図１７は、第４実施形態の第２の変形例に係るＭＦＰ１０の動作を示すフローチャートである。第４実施形態の第２の変形例では、上記第２実施形態（図１０参照）のステップＳ１３とステップＳ３１との間に、ステップＳ１４の処理が行われる。なお、ステップＳ１４の処理は上記第４実施形態（および第４実施形態の第１の変形例）と同様にして行われ、ステップＳ１４以外の処理は、上記第２実施形態と同様にして行われる。
【０１４９】
たとえば、プレビュー表示されている資料Ｄ１，Ｄ２の双方の閲覧権限をジョブ実行ユーザＵ２が有しない旨がステップＳ１４にて判定されると、処理はステップＳ３１（第２の表示制御）へと進み、当該資料Ｄ１，Ｄ２のプレビュー画像２５１，２５２の双方を非表示化するための非表示化ボタン３６０がプレビュー画面２００に表示される（図１１参照）。そして、当該非表示化ボタン３６０がログインユーザＵ１によって押下されると、当該プレビュー画像２５１，２５２の双方がプレビュー画面２００にて非表示化される（図７参照）。
【０１５０】
また、当該資料Ｄ１，Ｄ２のうちの一部の資料（たとえば資料Ｄ１）の閲覧権限をジョブ実行ユーザＵ２が有しない旨がステップＳ１４にて判定されると、ステップＳ３１（第２の表示制御）において、当該資料Ｄ１のプレビュー画像２５１を（個別に）非表示化するための非表示化ボタン３６１がプレビュー画面２００に表示される（図１８参照）。そして、当該非表示化ボタン３６１がログインユーザＵ１によって押下されると、２つのプレビュー画像２５１，２５２のうち当該プレビュー画像２５１（のみ）がプレビュー画面２００にて非表示化される（図１６参照）。
【０１５１】
＜５．変形例等＞
以上、この発明の実施の形態について説明したが、この発明は上記内容のものに限定されるものではない。
【０１５２】
たとえば、上記各実施形態等では、プレビュー画像２５０の全体（資料のページ画像の全体領域）が非表示化処理の対象領域である態様を例示したが、これに限定されず、プレビュー画像２５０の一部（資料のページ画像の一部領域）が非表示化処理の対象領域であってもよい。
【０１５３】
具体的には、ＭＦＰ１０に格納されている資料において秘匿すべき領域（秘匿領域２７０）が管理者（あるいは資料作成者等）によって予め指定される。ここでは、資料Ｄ１のページ画像のうちの下方部分の領域（部分領域）が秘匿領域２７０として予め指定されている。
【０１５４】
そして、たとえば第１実施形態の場合は、第１の表示制御において、プレビュー画像２５１のうち、当該プレビュー画像２５１に係る資料Ｄ１において秘匿すべき領域として予め指定された秘匿領域２７０（のみ）が自動的に非表示化される（図１９参照）。
【０１５５】
また、たとえば第２実施形態の場合は、第２の表示制御において、プレビュー画像２５１のうちの秘匿領域２７０を非表示化するためのボタン３６２（図２０参照）が、非表示化ボタンとしてプレビュー画面２００に表示される。そして、当該非表示化ボタン３６２がログインユーザによって押下されると、プレビュー画像２５１のうちの秘匿領域２７０（のみ）が非表示化される（図１９参照）。
【０１５６】
このように、プレビュー画像２５０の一部分（資料のページ画像の一部領域）が非表示化処理の対象領域であってもよい。
【０１５７】
ここにおいて、上記第１実施形態では、特定種類のジョブが受信された旨が判定される場合、プレビュー画像２５０を自動的に非表示化する第１の表示制御が行われる態様が例示された。また、上記第２実施形態では、特定種類のジョブが受信された旨が判定される場合、当該プレビュー画像２５０をユーザ操作に応じて非表示化するための非表示化ボタン３６０を表示する第２の表示制御が行われる態様が例示された。
【０１５８】
ただし、これに限定されず、特定種類のジョブが受信された旨が判定される場合、受信されたジョブの種類に応じて、当該第１の表示制御と第２の表示制御とが切り換えられてもよい。
【０１５９】
たとえば、第１の種類のジョブ（たとえば基本プリントジョブあるいはプルスキャンジョブ）が受信された旨がステップＳ１２で判定される場合は、第１の表示制御が採用されるようにしてもよい。詳細には、第１実施形態のように、第１の種類のジョブが完了すると、プレビュー画面２００にてプレビュー画像２５０が自動的に非表示化されるようにしてもよい。
【０１６０】
また、第２の種類のジョブ（たとえば親展プリントジョブあるいはファクシミリ受信ジョブ）が受信された旨がステップＳ１２で判定される場合は、第２の表示制御が採用されるようにしてもよい。詳細には、第２実施形態のように、プレビュー画像２５０を非表示化するための非表示化ボタン３６０（図１１等参照）がプレビュー画面２００に表示されるようにしてもよい。
【０１６１】
このように、受信されたジョブの種類に応じて、当該第１の表示制御と第２の表示制御とが切り換えられてもよい。これによれば、他ユーザによる資料の覗き見を抑制するための表示制御をより柔軟に行うことが可能である。
【０１６２】
ここにおいて、第１の種類のジョブと第２の種類のジョブとのいずれが外部装置５０から受信された場合であっても、第１の表示制御が一律に行われてもよい。
【０１６３】
ただし、第２の種類のジョブ（ここでは親展プリントジョブあるいはファクシミリ受信ジョブ）の特質を考慮すると、当該第２の種類のジョブが受信される場合には、第２の表示制御が採用されることがより好ましい。
【０１６４】
具体的には、第２の種類のジョブが受信される場合、ログインユーザＵ１とは異なる他ユーザによるＭＦＰ１０への接近時期のばらつきが比較的大きい。
【０１６５】
たとえば、外部装置５０から受信された親展プリントジョブのジョブ実行ユーザが比較的早期にＭＦＰ１０へと接近して印刷対象データの印刷出力を行うこともあれば、当該ジョブ実行ユーザが印刷対象データの印刷出力を数時間後に行うことを考えている場合等、当該ジョブ実行ユーザが比較的早期にＭＦＰ１０へと接近してこないこともある。また、ファクシミリ受信ジョブにおける印刷出力物を受け取るユーザが、比較的早期にＭＦＰ１０へと接近してくることもあれば、比較的早期にＭＦＰ１０へと接近してこないこともある。
【０１６６】
このような特質を有する第２の種類のジョブが受信される場合は、特定のタイミングで資料のプレビュー画像２５０を自動的に非表示化する第１の表示制御ではなく、プレビュー画像２５０をユーザ操作に応じて非表示化する第２の表示制御が採用されることがより好ましい。すなわち、他ユーザによるＭＦＰ１０への接近時期のばらつきが比較的大きいジョブが受信される場合は、プレビュー画像２５０を非表示化するタイミングをログインユーザＵ１に委ねる第２の表示制御が採用されることがより好ましい。
【符号の説明】
【０１６７】
１  画像処理システム
１０  ＭＦＰ（画像処理装置）
５０  外部装置
２００  プレビュー画面
２５０，２５１，２５２  プレビュー画像
３５２，３６０，３６１，３６２  非表示化ボタン
Ｄ１，Ｄ２  資料
【図１】
0006648581.tif 000002
【図２】
0006648581.tif 000003
【図３】
0006648581.tif 000004
【図４】
0006648581.tif 000005
【図５】
0006648581.tif 000006
【図６】
0006648581.tif 000007
【図７】
0006648581.tif 000008
【図８】
0006648581.tif 000009
【図９】
0006648581.tif 000010
【図１０】
0006648581.tif 000011
【図１１】
0006648581.tif 000012
【図１２】
0006648581.tif 000013
【図１３】
0006648581.tif 000014
【図１４】
0006648581.tif 000015
【図１５】
0006648581.tif 000016
【図１６】
0006648581.tif 000017
【図１７】
0006648581.tif 000018
【図１８】
0006648581.tif 000019
【図１９】
0006648581.tif 000020
【図２０】
0006648581.tif 000021